(57)【要約】      （修正有）【課題】工期の短縮化や作業の効率及び安全性の向上を図る壁貫通スリーブユニットを提供する。【解決手段】上下階の床スラブ１１，１２間において、下地材１４にボード材１５を取り付けて形成される間仕切壁１０の貫通部分１３に設けられる壁貫通スリーブユニット１であって、上下左右の部材により矩形状に形成される金属製の枠体と、枠体で囲まれた開口を閉塞可能に形成される金属製の蓋体と、蓋体を貫通するスリーブと、を備え、枠体の上側部材が上階の床スラブ１２の下面に固定される。【選択図】図１
2017008551.tif 000002
【特許請求の範囲】
【請求項１】
上下階の床スラブ間において、下地材にボード材を取り付けて形成される間仕切壁の貫通部分に設けられる壁貫通スリーブユニットであって、
上下左右の部材により矩形状に形成される金属製の枠体と、
該枠体で囲まれた開口を閉塞可能に形成される金属製の蓋体と、
該蓋体を貫通するスリーブと、
を備え、前記枠体の上側部材が前記上階の床スラブの下面に固定可能に形成されていることを特徴とする壁貫通スリーブユニット。
【請求項２】
請求項１に記載の壁貫通スリーブユニットを使用して前記間仕切壁を施工する方法であって、
前記上階の床スラブの施工後、前記間仕切壁の下地材の施工前に、前記枠体の上側部分を前記上階の床スラブの下面に固定することで前記壁貫通スリーブを取り付けた後に、前記スリーブに天井配管を貫通させて該天井配管の吊り込み工事を施工することを特徴とする間仕切壁施工方法。
【請求項３】
前記壁貫通スリーブユニットの取り付け及び前記天井配管の吊り込み工事の施工後に、前記壁貫通スリーブユニットに合わせて、前記下地材を施工すると共に該下地材に前記ボード材を固定することで、前記間仕切壁を施工することを特徴とする請求項２に記載の間仕切壁施工方法。
【請求項４】
前記上階の床スラブの施工後、該上階の止水措置が完了したエリアから順次、前記間仕切壁の下地材の施工を開始することを特徴とする請求項３に記載の間仕切壁施工方法。
【発明の詳細な説明】
【技術分野】
【０００１】
本発明は、下地材にボード材を取り付けて形成される間仕切壁の貫通部分に設けられる壁貫通スリーブユニット、及び該壁貫通スリーブユニットを使用して間仕切壁を施工する方法に関するものである。
【背景技術】
【０００２】
一般に、建築物の上下階の床スラブ間において防火区画や建築基準法施行令第１１４条区画等を形成するため、下地材である軽量鉄骨（ＬＧＳ）に石膏ボード等の各種ボード材を貼り付けた間仕切壁が設けられることがある。この間仕切壁の上部には、機械・電気設備用の天井配管やダクト等が貫通する場合がある。従来、この場合の間仕切壁は、以下の手順で施工される（図８の上側のフロー参照）。
【０００３】
（１）上階の床スラブ等の型枠解体後、上階の止水措置を行う。
（２）間仕切壁の墨出し及び該間仕切壁の貫通部分の開口墨出しを行う。
（３）間仕切壁と干渉しない箇所において部分的に配管やダクト等を施工する。
（４）墨出しされた間仕切壁の貫通部分を避けて軽量鉄骨（ＬＧＳ）工事を施工し、必要に応じて該貫通部分の開口を補強する。
（５）軽量鉄骨（ＬＧＳ）の両面側にボード材を全面的に取り付ける工事を施工する。
（６）ボード材の配管やダクト等の貫通部分に対して開口作業を行う。
（７）間仕切壁を貫通する配管やダクト等を吊り込み、設備工事を施工する。この際、配管やダクト等は上階の床スラブ等の躯体から貫通部分の前後において支持し、軽量鉄骨（ＬＧＳ）及びボード材には荷重を掛けないようにする。
（８）間仕切壁の配管やダクト等の貫通部分にロックウールを充填して区画貫通処理を行う。
【０００４】
また、従来、この種の間仕切壁を貫通する配管やダクト等の設置作業の簡略化及び迅速化を図ることを目的として、例えば、特許文献１に記載されているように、間仕切壁の配管やダクト等の貫通部分にスリーブユニットを設置する施工方法も提案されている。この場合の間仕切壁は、以下の手順で施工される（図９の上側のフロー参照）。
【０００５】
（１）上階の床スラブ等の型枠解体後、上階の止水措置を行う。
（２）間仕切壁の墨出し及び該間仕切壁の貫通部分の開口墨出しを行う。
（３）間仕切壁と干渉しない箇所において部分的に配管やダクト等を施工する。
（４）墨出しされた間仕切壁の貫通部分を避けて軽量鉄骨（ＬＧＳ）工事を施工し、必要に応じて該貫通部分の開口を補強する。
（５）スリーブユニットを軽量鉄骨（ＬＧＳ）の貫通部分に取り付ける。
（６）スリーブユニットを貫通する配管やダクト等の設備工事を施工する。
（７）配管やダクト等が貫通する部分にロックウールを充填して区画貫通処理を行う。
（８）スリーブユニットを避けて軽量鉄骨（ＬＧＳ）の両面側にボード材を取り付ける。
【先行技術文献】
【特許文献】
【０００６】
【特許文献１】特開２００５−２２０６３９号公報
【発明の概要】
【発明が解決しようとする課題】
【０００７】
しかしながら、上記した従来の間仕切壁の施工方法では、前者及び後者によるいずれの方法でも、以下のような問題点が生じていた。
【０００８】
（１）上階の床スラブ等の型枠解体後、上階の止水措置が完了するまで、間仕切壁の設置や設備工事を施工することができないため、工期の短縮化が図り難い。
（２）軽量鉄骨（ＬＧＳ）工事、ボード材貼り付け工事、及び設備工事の作業手順が複雑に絡み合い、他工程の影響を受け易いため、作業効率や作業の安全性を高めることが難しい。
（３）各業種の施工業者が同一のエリアで同時に仮設材や資材を保管するためのスペースを必要とするため、作業スペースの確保が難しい。
（４）作業工程及び工数が多いため、施工ミスが発生する虞がある。
【０００９】
また、従来の後者による施工方法では、スリーブユニットの左右の長さを軽量鉄骨（ＬＧＳ）の建て込みピッチ幅（通常、４５０ｍｍ）の整数倍に合わせるか、或いは建て込みピッチ幅が整数倍でない場合にはスリーブユニット左右端の位置に軽量鉄骨（ＬＧＳ）の追加補強が必要であるため、配管やダクトの配置に制約が生じたり、或いは、スリーブユニットの左右の長さを必要以上に大きくしたりする必要があるといった問題も生じていた。
【００１０】
さらに、軽量鉄骨（ＬＧＳ）の建て込み後にスリーブユニットを取り付ける手順となっているため、スリーブユニット用の開口及びその補強工事を軽量鉄骨（ＬＧＳ）に施工する手間が掛かるといった問題も生じていた。
【００１１】
本発明は、上記した各種課題を解決すべくなされたものであり、工期の短縮化や作業の効率及び安全性の向上等を図ることのできる壁貫通スリーブユニット及び間仕切壁施工方法を提供することを目的とするものである。
【課題を解決するための手段】
【００１２】
上記した目的を達成するため、本発明は、上下階の床スラブ間において、下地材にボード材を取り付けて形成される間仕切壁の貫通部分に設けられる壁貫通スリーブユニットであって、上下左右の部材により矩形状に形成される金属製の枠体と、該枠体で囲まれた開口を閉塞可能に形成される金属製の蓋体と、該蓋体を貫通するスリーブと、を備え、前記枠体の上側部材が前記上階の床スラブの下面に固定可能に形成されていることを特徴とする。
【００１３】
これにより、下地材の開口補強をしたり、ボード材の開口作業を行ったりする必要がないため、作業工程及び工数を削減することができ、施工ミスの発生を抑制することができる。
【００１４】
また、本発明は、上記した壁貫通スリーブユニットを使用して前記間仕切壁を施工する方法であって、前記上階の床スラブの施工後、前記間仕切壁の下地材の施工前に、前記枠体の上側部分を前記上階の床スラブの下面に固定することで前記壁貫通スリーブを取り付けた後に、前記スリーブに天井配管を貫通させて該天井配管の吊り込み工事を施工することを特徴とする。
【００１５】
これにより、上階の止水措置が完了するまで待つことなく、上階の止水措置の作業期間中に、下階において、間仕切壁の施工より先行して、天井配管の吊り込み工事を施工することができるため、工期の短縮化を図ることができる。
【００１６】
また、本発明に係る間仕切壁施工方法は、前記壁貫通スリーブユニットの取り付け及び前記天井配管の吊り込み工事の施工後に、前記壁貫通スリーブユニットに合わせて、前記下地材を施工すると共に該下地材に前記ボード材を固定することで、前記間仕切壁を施工することを特徴とする。
【００１７】
これにより、天井配管の吊り込み工事と内装工事との作業手順が単純化され、ボード材の墨出し等の合番作業がなくなり、作業の段取り替えや手待ち等、他の工程の影響を受けることが少ないため、作業効率を高めることができると共に、作業の安全性を高めることができる。
【００１８】
また、本発明に係る間仕切壁施工方法は、前記上階の床スラブの施工後、該上階の止水措置が完了したエリアから順次、前記間仕切壁の下地材の施工を開始することを特徴とする。
【００１９】
同一階であっても異なるエリアで、天井配管の吊り込み工事と間仕切壁の下地材の施工を重複して行うことができるため、さらなる工期の短縮化を図ることができる。
【発明の効果】
【００２０】
本発明によれば、工期の短縮化や作業の効率及び安全性の向上を図ることのできる等、種々の優れた効果を得ることができる。
【図面の簡単な説明】
【００２１】
【図１】本発明の実施の形態における間仕切壁を示す正面図である。
【図２】本発明の実施の形態における間仕切壁の上部を示す断面図である。
【図３】本発明の実施の形態に係る壁貫通スリーブユニットを示す斜視図である。
【図４】本発明の実施の形態に係る間仕切壁施工方法を示す説明図である。
【図５】本発明の実施の形態に係る間仕切壁施工方法を示す説明図である。
【図６】本発明の実施の形態に係る間仕切壁施工方法を示す説明図である。
【図７】本発明の実施の形態に係る間仕切壁施工方法を示す説明図である。
【図８】本発明の実施の形態に係る間仕切壁施工方法を従来の施工方法と比較して示すフロー図である。
【図９】本発明の実施の形態に係る間仕切壁施工方法を従来の別の施工方法と比較して示すフロー図である。
【発明を実施するための形態】
【００２２】
以下、図面を参照しつつ、本発明の実施の形態に係る壁貫通スリーブユニット１及び該壁貫通スリーブユニット１を使用して間仕切壁１０を施工する方法について説明する。なお、以下の説明では、建築基準法施行令第１１４条区画を形成する間仕切壁１０に壁貫通スリーブユニット１を使用する場合について例示して説明する。
【００２３】
まず、図１及び図２により、本発明の実施の形態における間仕切壁１０について説明する。ここで、図１は、間仕切壁１０を示す正面図、図２は間仕切壁１０の上部を示す断面図である。
【００２４】
本発明の実施の形態における間仕切壁１０は、施工対象となる階（以下「下階」と言う。）の床スラブ１１と該下階の直上階（以下「上階」と言う。）の床スラブ１２との間を仕切るように設けられる。間仕切壁１０の上部には、壁貫通スリーブユニット１を設置するための貫通部分１３が矩形状に開口されている。間仕切壁１０は、下地材としての軽量鉄骨（ＬＧＳ）１４と、この軽量鉄骨（ＬＧＳ）１４の両面側にそれぞれ２枚貼りされるボード材としての石膏ボード１５と、により構成されており、１００ｍｍ程度の厚さを有している。
【００２５】
次に、図２に加えて、図３を参照しつつ、本発明の実施の形態に係る壁貫通スリーブユニット１について詳細に説明する。ここで、図３は、壁貫通スリーブユニット１を示す斜視図である。
【００２６】
この壁貫通スリーブユニット１は、１．６ｍｍの厚みを有する亜鉛鉄板を箱状に加工することにより形成されており、横長矩形筒状に形成される枠体２と、枠体２に囲まれた開口を閉塞可能に形成される蓋体３と、蓋体３を貫通するスリーブ４と、を備えて構成されている。
【００２７】
枠体２は、互いに平行を成すように上下に配設される上側部材２ａ及び下側部材２ｂと、互いに平行を成すように左右に配設される左側部材２ｃ及び右側部材２ｄと、により構成されている。上側部材２ａ及び下側部材２ｂは、それぞれ、左右の長さが１０００ｍｍで幅が２００ｍｍに形成され、左側部材２ｃ及び右側部材２ｄは、それぞれ、高さが５００ｍｍで幅が２００ｍｍに形成されている。すなわち、上側部材２ａ、下側部材２ｂ、左側部材２ｃ、及び右側部材２ｄの幅は、間仕切壁１０の厚みより大きめに設定されている。また、上側部材２ａには、左右２箇所にそれぞれ、直径１３ｍｍの丸孔５が穿設され、これにより、壁貫通スリーブユニット１は上階の床スラブ１２に直接固定可能となっている。
【００２８】
蓋体３は、枠体２の一開口端側を閉塞するように配設されており、左右の長さが１０００ｍｍで高さが５００ｍｍに形成されている。なお、壁貫通ユニット１が遮音壁等の間仕切壁に使用される場合には、この蓋体３の内面に厚さ５０ｍｍのロックウール６（又はグラスウール）を貼付してもよい。
【００２９】
スリーブ４は、左側から右側に向かって、１本のダクト用スリーブ４ａと、３本の配管用スリーブ４ｂ，４ｃ，４ｄと、が並設されて構成されている。ダクト用スリーブ４ａは、直径２５０ｍｍの円筒形状を有しており、その中心と左側部材２ｃとの間隔が２００ｍｍとなるように配置されている。各配管用スリーブ部４ｂ，４ｃ，４ｄは、それぞれ、直径１５０ｍｍの円筒形状を有しており、最も左側の配管用スリーブ４ｂの中心とダクト用スリーブ４ａの中心との間隔が３００ｍｍ、各配管用スリーブ４ｂ，４ｃ，４ｄの中心同市の間隔が２００ｍｍ、最も右側の配管用スリーブ４ｄの中心と右側部材２ｄとの間隔が１００ｍｍとなるように配置されている。
【００３０】
次に、図１〜図３に加えて、図４〜図９を参照しつつ、上記した構成を備えた壁貫通スリーブユニット１を使用して間仕切壁１０を施工する方法について説明する。ここで、図４〜７は本発明の実施の形態に係る間仕切壁施工方法を示す説明図、図８は本発明の実施の形態に係る間仕切壁施工方法を従来の施工方法と比較して示すフロー図、図９は本発明の実施の形態に係る間仕切壁施工方法を従来の別の施工方法と比較して示すフロー図である。なお、図８及び図９において、破線の枠は建築工事を示し、実線の枠は機械・電気設備工事を示している。
【００３１】
本発明の実施の形態に係る間仕切壁施工方法は、以下の手順で行われる。
（１）上階の床スラブ１２のコンクリートを打設し、その養生期間が経過した後、下階において型枠１６や支保工１７の解体工事を行う（特に、図４、図８、及び図９参照）。
【００３２】
（２）下階の床スラブ１１上に描かれた基準墨を利用して、上階の床スラブ１２の下面の丸孔５に対応する位置に、アンカーボルト１８を埋め込む。丸孔５を介してこのアンカーボルト１８にボルト及びナット２４を螺挿し、壁貫通スリーブユニット１を床スラブ１１の下面に固定する（特に、図５、図８及び図９の下側のフロー参照）。
【００３３】
（３）下階の床スラブ１１上に描かれた間仕切壁１０用の墨出しを利用して、壁貫通スリーブユニット１のスリーブ４を貫通するダクト１９及び配管２０の吊り込み工事を行う。また、ダクト１９や配管２０がスリーブ４を貫通する部分にロックウール２５（図２参照）を充填して区画貫通処理を行うと共に、必要に応じて、ダクト１９及び配管２０にグラスウール２６（図２参照）等の保温材を周設する（特に、図６、図８及び図９の下側のフロー参照）。
【００３４】
（４）上階の止水措置が完了したエリアから順次、下階の床スラブ１１上に描かれた間仕切壁１０用の墨出しを利用して、間仕切壁１０の下地材である軽量鉄骨（ＬＧＳ）１４の建て込みを行う。この時、枠体２の下側部材２ｂには下方から軽量鉄骨（ＬＧＳ）１４の上端を当接させると共に、枠体２の左側部材２ｃ及び右側部材２ｄには側方から軽量鉄骨（ＬＧＳ）１４の側面を当接させるように施工することで、壁貫通スリーブユニット１を合わせて軽量鉄骨（ＬＧＳ）１４を容易に建て込むことができる（特に、図７、図８及び図９の下側のフロー参照）。
【００３５】
（５）軽量鉄骨（ＬＧＳ）１４に対して両面側からボード材である石膏ボード１５を取り付ける（特に、図１、図８及び図９の下側のフロー参照）。
【００３６】
このように本発明の実施の形態に係る間仕切壁施工方法によれば、上階の床スラブ１２等の型枠１６や支保工１７の解体後、上階の止水措置が完了するまで待つことなく（上階の止水措置の作業期間中に）、下階において、間仕切壁１０の施工より先行して、設備工事を施工することができるため、工期の短縮化を図ることができる。また、壁貫通スリーブユニット１の左右の長さを軽量鉄骨（ＬＧＳ）の建て込みピッチ幅（通常、４５０ｍｍ）の整数倍に合わせる必要や、スリーブユニット左右端の位置での軽量鉄骨（ＬＧＳ）の追加補強を行う必要がないため、ダクト１９や配管２０の配置に制約が生じたり、或いは、枠体２の左右の長さを必要以上に大きくしたりする必要がない。
【００３７】
また、設備工事の施工完了後に、間仕切壁１０の設置等の内装工事を施工することにより、設備工事を中断することなく、連続的に行うことができる。すなわち、設備工事と内装工事との作業手順が単純化され、石膏ボード１５の墨出し等の合番作業がなくなり、作業の段取り替えや手待ち等、他の工程の影響を受けることが少ない。したがって、作業効率を高めることができると共に、作業の安全性を高めることができる。
【００３８】
また、各業種の施工業者が同一のエリアで同時に仮設材や資材を保管するためのスペースを必要としないため、作業スペースの確保が容易となる。
【００３９】
また、壁貫通スリーブユニット１を上階の床スラブ１２に直接固定することにより、軽量鉄骨（ＬＧＳ）１４の開口補強をしたり、石膏ボード１５の開口作業を行ったりする必要がない。したがって、作業工程及び工数を削減することができ、施工ミスの発生を抑制することができる。さらに、軽量鉄骨（ＬＧＳ）１４や石膏ボード１５等の産業廃棄物の発生を抑制することができると共に、運搬作業の軽減化を図ることができる。
【００４０】
また、枠体２の下側部材２ｂ、左側部材２ｃ、及び右側部材２ｄの幅が、間仕切壁１０の厚みより大きめに設定されているため、多少の施工誤差が生じたとしても、軽量鉄骨（ＬＧＳ）１４の建て込み時及び石膏ボード１５の取り付け時に枠体２を定規として利用することができる。したがって、内装工事の作業性をより高めることができる。
【実施例】
【００４１】
例えば、病床９０床を有する３０００ｍ２のフロアで天井内空調設備工事を行うと仮定した場合、従来の施工方法では、この空調設備工事に８００人工の作業員が必要になると予想されるのに対して、本発明の施工方法によれば、同様の空調設備工事を６１４人工の作業員で行うことができ、１８６人工の工数削減が可能となるという試算結果を得ることができた。さらに、上記フロア当たり、４〜５週間程度の工期短縮化が可能となるという試算結果を得ることもできた。
【００４２】
なお、上記した本発明の実施の形態の説明では、壁貫通スリーブユニット１が建築基準法施行令第１１４条区画を形成する間仕切壁１０の貫通部分１３に取り付けられる場合について説明したが、これは単なる例示であり、本発明をこの形態に限定する趣旨ではない。すなわち、本発明は、防火区画を形成する間仕切壁、遮音壁、或いは防火区画等を形成せずに単に空間を仕切るための間仕切壁にも適用可能であり、また、間仕切壁の下地材及びボード材は、木製にする等、上記した材質以外のものを使用してもよい。
【００４３】
さらに、上記した本発明の実施の形態の説明は、本発明に係る壁貫通スリーブユニット及び間仕切壁施工方法における好適な実施の形態を説明しているため、形状、サイズ、構造等、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【産業上の利用可能性】
【００４４】
本発明の技術は、特に、防火上主要な間仕切壁で区画される多数の病室を有し、空調換気ダクト、空調用冷水温水配管、医療ガス配管、自動制御配管、給湯給水配管等による間仕切壁の貫通箇所の多い病院の他、ホテル、娯楽・商業施設、学校、老人福祉施設、オフィスビル等の用途の建造物に利用が見込まれるものである。
【符号の説明】
【００４５】
１      壁貫通スリーブユニット
２      （壁貫通スリーブユニットの）枠体
２ａ    （壁貫通スリーブユニットの）上側部分
３      （壁貫通スリーブユニットの）蓋体
４      スリーブ
１０    間仕切壁
１１    下階の床スラブ
１２    上階の床スラブ
１３    貫通部分
１４    軽量鉄骨（下地材）
１５    石膏ボード（ボード材）
１９    ダクト（天井配管）
２０    配管（天井配管）
【図１】
2017008551.tif 000003
【図２】
2017008551.tif 000004
【図３】
2017008551.tif 000005
【図４】
2017008551.tif 000006
【図５】
2017008551.tif 000007
【図６】
2017008551.tif 000008
【図７】
2017008551.tif 000009
【図８】
2017008551.tif 000010
【図９】
2017008551.tif 000011
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
上下階の床スラブ間において、下地材にボード材を取り付けて形成される間仕切壁の貫通部分に設けられる壁貫通スリーブユニットであって、
上下左右の部材により矩形状に形成される金属製の枠体と、
該枠体で囲まれた開口を閉塞可能に形成される金属製の蓋体と、
該蓋体を貫通するスリーブと、
を備え、前記枠体の上側部材が前記上階の床スラブの下面に直接固定可能に形成されていることを特徴とする壁貫通スリーブユニット。
【請求項２】
請求項１に記載の壁貫通スリーブユニットを使用して前記間仕切壁を施工する方法であって、
前記上階の床スラブの施工後、前記間仕切壁の下地材の施工前に、前記枠体の上側部分を前記上階の床スラブの下面に直接固定することで前記壁貫通スリーブユニットを取り付けた後に、前記スリーブに天井配管を貫通させて該天井配管の吊り込み工事を施工することを特徴とする間仕切壁施工方法。
【請求項３】
前記壁貫通スリーブユニットの取り付け及び前記天井配管の吊り込み工事の施工後に、前記壁貫通スリーブユニットに合わせて、前記下地材を施工すると共に該下地材に前記ボード材を固定することで、前記間仕切壁を施工することを特徴とする請求項２に記載の間仕切壁施工方法。
【請求項４】
前記上階の床スラブの施工後、該上階の止水措置が完了したエリアから順次、前記間仕切壁の下地材の施工を開始することを特徴とする請求項３に記載の間仕切壁施工方法。